(57)【要約】【課題】股下部分の開口部の開閉が容易で、且つ開口部の隙間から着用者の脚が露出しにくいズボンの提供を目的とする。【解決手段】  ズボン１について、内股の股下部分が分離可能な前身頃２および後身頃３と、前記前身頃２あるいは前記後身頃３のいずれかの左右の股下部分に設けられた留め布４と、前記留め布４を設けた身頃と異なる身頃の左右の股下部分に設けられた当て布５と、前記留め布４と、前記当て布５を設けた身頃との互いに対向する位置に設けられた、互いに着脱可能な股用係止手段８ａ、８ｂと、を具えるように構成した。【選択図】図１
2016125167.tif 000002
【特許請求の範囲】
【請求項１】
内股の股下部分が分離可能な前身頃および後身頃と、
前記前身頃あるいは前記後身頃のいずれかの左右の股下部分に設けられた留め布と、
前記留め布を設けた身頃と異なる身頃の左右の股下部分に設けられた当て布と、
前記留め布と、前記当て布を設けた身頃との互いに対向する位置に設けられた、互いに着脱可能な股用係止手段と、を具えることを特徴とするズボン。
【請求項２】
請求項１に記載のズボンにおいて、前記留め布が前身頃に設けられており、前記当て布が前記後身頃に設けられていることを特徴とするズボン。
【請求項３】
請求項１に記載のズボンにおいて、前記留め布が後身頃に設けられており、前記当て布が前記前身頃に設けられていることを特徴とするズボン。
【請求項４】
請求項１乃至３の何れか一項に記載のズボンがさらに、当該ズボンの左右の裾または裾近傍と、これらの位置に対応するズボンの左右のウエスト近傍に、互いに着脱可能な裾用係止手段を具えることを特徴とするズボン。
【請求項５】
請求項１乃至４の何れか一項に記載のズボンにおいて、前記股用係止手段が磁石であることを特徴とするズボン。
【請求項６】
請求項４または５に記載のズボンにおいて、前記裾用係止手段が磁石であることを特徴とするズボン。
【発明の詳細な説明】
【技術分野】
【０００１】
本発明は、股下部分が開閉するズボンに関し、特に、オムツ交換を容易にすることができる股下部分が開閉する子供用又は介護用ズボンに関する。
【背景技術】
【０００２】
股下部分が開閉する子供用衣服としては、従来よりロンパースが知られている。また、寝たきりの高齢者等のオムツ交換や衣服の着脱を容易に行うために股下部分を開閉できるように構成した介護用ズボンも知られている。
【０００３】
このようなズボンは、ズボンの股下部分を開放して、この部分に設けた複数のスナップボタンやボタン等を係合及び解除することによって股下部分を自由に開閉できるように構成されているため、通常のズボンと比べて使用者がオムツ交換や着替えをより容易に行うことができる（例えば、特許文献１参照）。しかしながら、従来のズボンでは、開口部の係合手段としてスナップボタンやボタン等を使用しているため、ボタンとボタンの隙間から空気やゴミが侵入し、防寒上あるいは衛生上の問題がある。
【０００４】
さらに、スナップボタンやボタン等は着脱に両手を使わなければならないため、オムツ交換時は不便である。また、係合位置がずれてしまった場合は再度留め直す必要があり、係止に手間がかかるという問題がある。
【０００５】
また、長期に渡って使用した場合、ボタン等が外れやすくなり耐久性の面でも問題がある。更に、着用者が寝たきりの場合は、ボタンの凹凸が着用者の皮膚に接触し続けるとボタン跡が痣になってしまうという問題点もある。
【０００６】
このような問題を解決すべく、股下開口部の開閉に面ファスナーを使用したズボンが考案されている（例えば、特許文献２参照）。しかし、面ファスナーを使用した場合、面ファスナーの面に皮膚が接触することによって炎症が起きたり、開閉時の音がうるさいといった欠点がある。
【０００７】
ズボンの股下開口部の係止手段にジッパーを使用すれば、面ファスナーのように開閉時に不快な音が生じることなく片手で開口部を開閉することができるが、着用する際にジッパーに布が食い込んでしまうことがある。また、ジッパーの縫製には手間が掛かるという問題もある。
【０００８】
また、従来の股下部分が開閉するズボンでは、着用者が立っている場合に股下開口部が開放された状態を維持することができないため、立ったままオムツ交換をするのが困難であった。
【０００９】
【特許文献１】特開２００２−３０２８０５号公報
【特許文献２】実用新案登録第３１６１０７８号
【発明の概要】
【発明が解決しようとする課題】
【００１０】
本発明の目的は、股下部分が開口したズボンにおいて、オムツ交換や用便の際に股下部分を容易に開閉させることができるとともに、通常の着用時は股下部分の隙間を塞いで、着用者の脚が股下開口部から露出しないようにしたズボンを提供することである。
【課題を解決するための手段】
【００１１】
本発明に係るズボンは、内股の股下部分が分離可能な前身頃および後身頃と、前記前身頃あるいは前記後身頃のいずれかの左右の股下部分に設けられた留め布と、前記留め布を設けた身頃と異なる身頃の左右の股下部分に設けられた当て布と、前記留め布と、前記当て布を設けた身頃との互いに対向する位置に設けられた、互いに着脱可能な股用係止手段と、を具えることにより上記の課題を解決する。
【００１２】
本発明に係るズボンはさらに、前記留め布が前身頃に設けられており、前記当て布が前記後身頃に設けられていることを特徴とする。
【００１３】
本発明に係るズボンはさらに、前記留め布が後身頃に設けられており、前記当て布が前記前身頃に設けられていることを特徴とする。
【００１４】
本発明に係るズボンはさらに、ズボンの左右の裾または裾近傍と、これらの位置に対応するズボンの左右のウエスト近傍に、互いに着脱可能な裾用係止手段を具えることを特徴とする。
【００１５】
本発明に係るズボンはさらに、前記股用係止手段が磁石であることを特徴とする。
【００１６】
本発明に係るズボンはさらに、前記裾用係止手段が磁石であることを特徴とする。
【発明の効果】
【００１７】
本発明の股下部分が開口したズボンは、股下部分に留め布を設けて、この留め布とズボンの身頃が着脱自在に構成されているため、股下開口部をワンタッチで容易に開閉することができる。さらに、着用時に開口部を塞ぐように機能する当て布を設けているため、開口部から空気やゴミが侵入せず、防寒上および衛生上の問題点が解決される。
【００１８】
さらに、本発明のズボンに裾用係止手段を設けることにより、着用者が立ったまま股下部分が開放された状態を維持することができるため、例えば、子供を立たせたままの状態で容易にオムツ交換をすることが可能となる。
【００１９】
なお、股用係止手段および／または裾用係止手段として磁石を用いることにより、股下開口部の開閉を容易に行うことができる。
【発明を実施するための形態】
【００２０】
以下、本発明の実施形態を添付図面に基づいて説明する。
【００２１】
図１乃至４に子供用ズボンの一例を示す。なお、以下の実施形態は子供用ズボンを例に説明しているが、本発明は大人用または介護用ズボンにも適用することができる。
【００２２】
図１は、本実施形態のズボンを着用した状態の背面図を概略的に示している。また、図２は本実施形態のズボンの前身頃を内側から見た状態を、図３は本実施形態のズボンの後身頃を外側から見た状態をそれぞれ概略的に示している。子供用ズボン１は、前身頃２と後身頃３の股下部分６が縫合されずに開口している。図２に示すように、ズボン１の左右の前身頃２には、股下部分６ａの下端に内側に突出するよう留め布４がそれぞれ設けられており、一方の係止手段として磁石８ａが設けられている。また、図３に示すように、後身頃３における係止手段（磁石）８ａに対応する位置には、他方の係止手段として磁石８ｂが設けられており、これらの係止手段を互いに係止／解除することによって股下部分６を自在に開閉できるように構成されている。なお、本例では、これらの係止手段（磁石）８ａ、８ｂは、後身頃３と留め布４にそれぞれ縫い込んで取り付けられている。図１に示すように、ズボン１の着用時には、留め布４を後身頃３の下端に重ねて磁石８ａ、８ｂを互いに係止させることによって股下開口部を閉じると共に、磁石８ａ、８ｂの係止を解除することによって股下部分６を開放し、オムツ交換等の必要な作業を行う。このように、本発明によれば、磁石の着脱という簡単な作業で股下部分６の開閉を行うことができる。なお、本例では、留め布４はズボン１の下端付近に１枚のみ設けられているが、２枚以上の留め布４を設けるようにしてもよい。
【００２３】
図４は、本実施形態のズボンの後身頃を内側から見た図であり、当て布５の構成を概略的に示している。図４に示すように、子供用ズボン１の後身頃３の左右の股下部分６ｂには、股下部分６ｂの全長に沿って当て布５が設けられている。当て布５の自由端上側はアーチ形状をしており、下端はズボン１の裾とほぼ同じ高さで、裾幅とほぼ同じ長さに延在している。
【００２４】
ズボン１の着用時に、当て布５を脚の前側に沿って前身頃２の内側に入れ込むことにより、当て布５が股下部分６の開口の隙間を塞いで、隙間から空気やゴミが侵入するのを防ぐことができる。また、当て布５は着用者の脚の前側と前身頃２の間に位置するので、子供が動いたり膝を屈伸しても脚の前側を覆った状態を維持することができる。また、着用時に磁石８ａ、８ｂが分離してしまっても、当て布５が股下部分６の開口の隙間を塞いでいるため、脚が容易に露出してしまうことはない。一方、オムツ交換時等には、磁石８ａ、８ｂを脱着させて、前身頃２と後身頃３を左右に捲り上げることによって当て布５を脚から離して、股下開口部を開くことができる。
【００２５】
なお、留め布４および当て布５は、別布を縫合または貼着等によって前身頃２および後身頃３に取り付けるか、あるいは前身頃／後身頃と一枚布で構成してもよい。また、留め布４および当て布５の素材は前身頃２および後身頃３と同一の素材であっても、異なる素材であってもよい。特に、当て布５は、伸縮性、速乾性を有するジャージ素材、スウェット素材が好ましい。
【００２６】
本発明のズボン１には更に、裾用係止手段を設けることができる。本例の裾用係止手段９は、ズボン１の左右脇線７上の下端に設けた磁石９ａと、脇線７上端に設けた磁石９ｂとから構成されている。これらの磁石９ａ、９ｂは互いに着脱可能であるため、股下部分６を開口した際にズボンの裾を捲り上げて磁石９ａ、９ｂを互いに係止することにより、子供が立ったままの状態でズボン１の股下部分を開放した状態に維持することができ、オムツ交換や用便が容易になる。
【００２７】
本例では、股用係止手段８および裾用係止手段９として、磁石８ａ、８ｂおよび９ａ、９ｂを用いたが、これらに代えて、スナップボタン、ボタン、面ファスナー等の係止手段を用いることもできる。なお、磁石を用いた場合は、磁石が取れたり、破損したりすることを防ぐため、布と布の間に縫い込んで取り付けることが好ましい。
【００２８】
また、上述した例では、留め布４を前身頃２に、当て布５を後身頃３に設けるようにしているが、逆に留め布４を後身頃３に、当て布５を前身頃２に設けるようにしてもよい。前者の構成によれば、留め布４による係止を子供自ら外してしまうのを防ぐことができるとともに、子供の脚の前側が前身頃２と当て布５で二重に覆われることにより、子供が這って移動した際に膝を保護することができるため、幼児用のズボンとして好適である。新生児の場合には、留め布４が脚の前側に位置するように構成することによって、親が作業しやすくなる。
【００２９】
更に、上述した例では、裾用係止手段９は、ズボン１の脇線７の下端と上端（すなわち、ズボンのウエスト位置）にそれぞれ設けるようにしているが、上側の係止手段９ｂの位置は必ずしも脇線７の上端でなくともよく、ウエスト位置から下がった位置に設けるようにしてもよい。また、下側の裾用係止手段９ａを、例えば、前身頃２の股下の下端近傍に設け、上側の裾用係止手段９ｂを前身頃の２のウエスト近傍に設けて、前身頃２のみを開いて留めるように構成してもよい。
【００３０】
上記実施形態は子供用ズボンであるが、本願発明は大人用または介護用ズボンに利用することもできる。大人用または介護用ズボンの場合、子供用ズボンと比較してズボンの裾が長くなるため、股下開口部から脚が露出しないように、留め布の位置、大きさ、数、および当て布の形状を適宜変更してもよい。また、裾用係止手段を設ける位置についても、ズボンの裾の長さに応じて適宜変更してもよい。
【図面の簡単な説明】
【００３１】
【図１】図１は、本発明のズボンの概略背面図である。
【図２】図２は、本発明のズボンの前身頃を内側から見た概略図である。
【図３】図３は、本発明のズボンの後身頃を外側から見た概略図である。
【図４】図４は、本発明のズボンの後身頃を内側から見た部分概略図である。
【符号の説明】
【００３２】
１  ズボン
２  前身頃
３  後身頃
４  留め布
５  当て布
６、６ａ、６ｂ  股下部分
７  脇線
８ａ、８ｂ  股用係止手段
９ａ、９ｂ  裾用係止手段
【図１】
2016125167.tif 000003
【図２】
2016125167.tif 000004
【図３】
2016125167.tif 000005
【図４】
2016125167.tif 000006